(57)【要約】【課題】溜まる水による隔離効果により、虫及び匂いが排水管を経由して排水穴から室内に侵入することを防止可能な排水装置および排水システムを提供する。【解決手段】台座２および覆い蓋１２を備える。台座２は、排水管５に接続されている貫通孔２１と、貫通孔２１から上方に延びる壁部２２と、を有し、窪み４に設けられている。覆い蓋１２は、壁部２２をカバーするためのものであり、その底縁が壁部２２の上縁の高さより低く形成されている。水は、台座２内に流入すると、壁部２２に沿って貫通孔２１を経由して排水管５に流入し、台座２の内部で所定の高さまで溜まる。【選択図】図２
2016050477.tif 000002
【特許請求の範囲】
【請求項１】
排水管に接続されている貫通孔と、前記貫通孔から上方に延びる壁部と、を含み、窪みに設けられている台座と、
前記壁部をカバーするものであり、底縁が前記壁部の上縁の高さより低く形成されている覆い蓋と、
を備え、
水は、前記台座内に流入すると、前記壁部に沿って前記貫通孔を経由して前記排水管に流入し、前記台座の内部で所定の高さまで溜まることを特徴とする排水装置。
【請求項２】
前記台座をカバーし、複数の排水穴が設けられている蓋をさらに備え、
水は、前記蓋に設けられている複数の前記排水穴を経由して、前記台座の内部に流入可能であることを特徴とする、請求項１に記載の排水装置。
【請求項３】
前記覆い蓋は、前記蓋の底縁に設けられていることを特徴とする、請求項２に記載の排水装置。
【請求項４】
保護蓋をさらに備え、
前記保護蓋は、前記蓋を取付可能な穿孔を有することを特徴とする、請求項３に記載の排水装置。
【請求項５】
排水管と接続する貫通孔をそれぞれ有し、上方に延び適当の高さを有する壁部が前記貫通孔に設けられている複数の台座と、
所定距離を置いて配列されている複数の排水穴がそれぞれ設けられており、それぞれの前記排水穴の底縁に帽子状を呈する覆い蓋が設けられており、それぞれの前記覆い蓋が前記壁部をカバーし、前記壁部の上縁が前記覆い蓋の底縁より高く形成されている複数の蓋と、
前記台座と連通する連通管と、
前記連通管の流し経路に設けられており、前記連通管と連通する水タンクと、
を備えることを特徴とする排水システム。
【請求項６】
前記水タンクは、給水弁を有し、
前記給水弁は、通常時においてオープン状態であることを特徴とする、請求項５に記載の排水システム。
【発明の詳細な説明】
【技術分野】
【０００１】
本発明は、排水装置に関し、特に、溜まる水により隔離効果を得ることが可能であり、虫及び匂いが排水穴から室内に侵入することが防止可能な排水装置および排水システムに関する。
【背景技術】
【０００２】
一般の浴室及び台所などの床面に設けられている排水管のドレインは、蓋を有する。蓋に排水穴が複数設けられている。水は、排水穴を経由して排水管に流入する。排水穴が設けられている蓋により、より大きいゴミなどの排水管への進入を防止可能である。従来のドレインは、オープン状態を保持するため、ゴキブリなどの虫が、排水管を経由して、排水穴から室内に侵入しやすい。そして排水管による匂いが、排水穴を経由して室内に発散する。
【発明の概要】
【発明が解決しようとする課題】
【０００３】
本発明の目的は、溜まる水による隔離効果により、虫及び匂いが排水管を経由して排水穴から室内に侵入することを防止可能な排水装置および排水システムを提供することにある。  
【課題を解決するための手段】
【０００４】
本発明の排水装置は台座および覆い蓋を備える。台座は、排水管に接続されている貫通孔と、貫通孔から上方に延びる壁部と、を有し、窪みに設けられている。覆い蓋は、壁部をカバーするためのものであり、その底縁が壁部の上縁の高さより低く形成されている。
水は、台座内に流入すると、壁部に沿って貫通孔を経由して排水管に流入し、台座の内部で所定の高さまで溜まる。
【０００５】
本発明の排水装置は、台座をカバーし、複数の排水穴が設けられている蓋をさらに備える。水は、蓋に設けられている複数の排水穴を経由して、台座の内部に流入可能である。
【０００６】
本発明の排水装置は、覆い蓋は、蓋の底縁に設けられている。
【０００７】
本発明の排水装置は、保護蓋をさらに備える。保護蓋は、蓋を取付可能な穿孔を有する。
【０００８】
本発明の排水システムは、複数の台座、複数の蓋、連通管、および、水タンクを備える。台座は、排水管と接続する貫通孔をそれぞれ有し、上方に延び適当の高さを有する壁部が貫通孔に設けられている。
複数の蓋は、所定距離を置いて配列されている複数の排水穴がそれぞれ設けられており、それぞれの排水穴の底縁に帽子状を呈する覆い蓋が設けられており、それぞれの覆い蓋がそれぞれこれらの壁部をカバーし、壁部の上縁が覆い蓋の底縁より高く形成されている。
連通管は台座と連通する。  水タンクは、連通管の流し経路に設けられており、連通管と連通する。
【０００９】
本発明の排水システムは、水タンクは給水弁を有する。給水弁は、通常時においてオープン状態である。
【００１０】
本発明の排水装置および排水システムによれば、溜まる水により隔離効果を得ることが可能であり、虫及び匂いが排水穴から室内に侵入することが防止可能であるという効果を有する。
【図面の簡単な説明】
【００１１】
【図１】本発明の一実施形態による排水システムを示す分解斜視図である。
【図２】本発明の一実施形態による排水システムを示す断面図である。
【図３】本発明の一実施形態による排水システムの使用状態を示す図である。
【図４】本発明の一実施形態による排水システムの組付け状態を示す図である。
【図５】本発明の別の実施形態による排水システムを示す図であって、連通管に水タンクが設けられている状態を示す。
【図６】本発明の別の実施形態による排水システムを示す図であって、排水システムの組付け状態を示す。
【発明を実施するための形態】
【００１２】
以下、本発明の実施形態を図面に基づいて説明する。
図１を参照する。図１は本発明の一実施形態を示す分解斜視図である。本実施形態に係る排水装置Ａは、蓋１と、台座２と、保護蓋３と、を含む。蓋１には、距離を置いて配列されている複数の排水穴１１がそれぞれ設けられている。蓋１の底縁には、帽子状を呈する覆い蓋１２が設けられている。台座２に貫通孔２１が設けられている。貫通孔２１から上方に延びる壁部２２が形成される。保護蓋３には、蓋１に対応する穿孔３１が設けられている。
【００１３】
排水装置Ａによれば、排水装置Ａの保護蓋３が浴室や台所などの床面に設けられており、台座２が床面に設けられている窪み４に埋められており、貫通孔２１が排水管５に接続されており、蓋１が保護蓋３の穿孔３１をカバーし、これにより、覆い蓋１２を台座２に入れ可能であり、覆い蓋１２が上から壁部２２をカバーする。これにより、排水するときには、水が、蓋１の排水穴１１を経由して台座２に流入して、壁部２２に沿って、貫通孔２１から排水管に流入する。このとき、台座２の内部に、水が所定の高さに溜まるため、当該水により、隔離効果を得ることが可能である。これにより、虫及び匂いが排水穴１１を経由して室内に侵入することを回避可能である。台座２の寸法をより大きくにすると、排水の速度を増加することが可能である。
【００１４】
図２を参照する。図２は本発明の一実施形態を示す断面図である。次に、本実施形態に係る排水装置Ａの組付方法を説明する。まず、床面の窪み４に台座２を埋めて、排水管５に貫通孔を接続して、保護蓋３の穿孔３１から蓋１と覆い蓋１２とを入れる。蓋１と覆い蓋１２とを入れた後、覆い蓋１２が台座２の壁部２２をカバーする。これにより、壁部２２の上縁が覆い蓋１２の底縁より高いため、壁部２２と覆い蓋１２との間に遠回りスペースが形成される。このように、排水するときには、水が、蓋１の排水穴１１から台座２に流入して、壁部２２と覆い蓋１２との間に形成される遠回りスペースを経由して、貫通孔２１から排水管５に流入する。
【００１５】
図３を参照する。図３は本発明の一実施形態の使用状態を示す図である。次に、図３を参照しながら本実施形態の使用状態を説明する。床面にある水が蓋１に流入するときには、水が蓋１に排水穴１１から台座２の内部に流入して、水位が台座２の壁部２２の上縁に達すると、水が貫通孔２１を経由して排水管５に流入して室外に排出される。排水が停止すると、台座２の内部には、水が所定の高さまで溜まる（水位が台座２の壁部２２の上縁よりやや低い）ため、当該水により隔離効果を得ることが可能である。虫及び匂いが排水穴１１を経由して室内に侵入することを回避可能である。
【００１６】
図４を参照する。図４は本発明の一実施形態の組付け状態を示す図である。図４に示すように、本実施形態に係る排水装置Ａに連通管６が設けられている。これにより、床面に設けられている窪み４に台座２を埋めた後、連通管６により、台所及び浴室などに設けられている排水装置Ａの台座２が連通される。このように、複数の排水装置Ａの何れか一つが排水するときには、台座２の内部に溜まる水が、連通管６を経由して、その他の台座２に流して、各台座２の内部に水が溜まる。虫及び匂いが排水穴１１を経由して室内に侵入することを回避可能である。
【００１７】
図５及び図６を参照する。図５は、本発明の別の実施形態を示す図であって、連通管に水タンクが設けられていることを示し、図６は、本発明の別の実施形態を示す図であって、排水システムの組付け状態を示す。本実施形態では、更に、連通管６の流路の途中に設けられており連通管６と連通する水タンク５０を含む。水タンク５０と連通管６との間には、給水弁５１が介在している。給水弁５１は、通常時においてオープン状態を保持する。これにより、水タンク５０は連通管６に水を補足可能である。
【００１８】
これにより、台座２の内部に溜まる水が蒸発して、水の水位Ｂが連通管６の水位より低いときには、水タンク５０が連通管６に水を自動的に補足可能である。このように、連通管６には、水が常時に溜まる。水タンク５０内の水が不足である場合には、給水弁５１を一旦に閉じると、給水弁５１に水を補足可能である。水タンク５０が連通管６に水を自動的に補足可能であるため、排水装置Ａの正常機能を保持可能であり、虫及び匂いが排水穴１１を経由して室内に侵入することを回避可能である。
【００１９】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【００２０】
本発明は、排水装置に適用することができる。
【符号の説明】
【００２１】
１  蓋、
２  台座、
３  保護蓋、
４  窪み、
５  排水管、
６  連通管、
１１  排水穴、
１２  覆い蓋、
２１  貫通孔、
２２  壁部、
３１  穿孔、
５０  水タンク、
５１  給水弁、
Ａ  排水装置、
Ｂ  水位。
【図１】
2016050477.tif 000003
【図２】
2016050477.tif 000004
【図３】
2016050477.tif 000005
【図４】
2016050477.tif 000006
【図５】
2016050477.tif 000007
【図６】
2016050477.tif 000008